(57)【要約】  簡便な動作で確実に点火し、より少ない部品数で構成された信号筒点火装置の提供を目的とする。当該信号点火装置は、信号筒を挿入可能な中空部を備えた保持部と、前記中空部の上部開口を被覆する天板および保持部周壁の三方の側面を被覆する側壁とを備えたスライド蓋からなり、前記保持部周壁の左右側面にはガイド溝が、また、前記スライド蓋の左右側壁には該ガイド溝に嵌合し該ガイド溝に沿って移動可能な凸条部がそれぞれ設けられ、前記スライド蓋は側壁が設けられていない開放部から前記保持部を横方向に取り外し可能に形成され、前記スライド蓋の引き抜き動作時に前記天板の裏側に具備された摺付薬が信号筒の発火薬に摺動するよう形成されていることを特徴とする信号筒点火装置である。
2014016958.tif 000002
【特許請求の範囲】
【請求項１】
信号筒を挿入可能な中空部を備えた保持部と、前記中空部の上部開口を被覆する天板および保持部周壁の三方の側面を被覆する側壁とを備えたスライド蓋からなり、前記保持部周壁の左右側面にはガイド溝が、また、前記スライド蓋の左右側壁には該ガイド溝に嵌合し該ガイド溝に沿って移動可能な凸条部がそれぞれ設けられ、前記スライド蓋は側壁が設けられていない開放部から前記保持部を横方向に取り外し可能に形成され、前記スライド蓋の引き抜き動作時に前記天板の裏側に具備された摺付薬が信号筒の発火薬に摺動するよう形成されていることを特徴とする信号筒点火装置。
【請求項２】
該ガイド溝と凸条部はともにスライド蓋の引き抜き方向へ斜め下方に傾斜していることを特徴とする請求項１に記載の信号筒点火装置。
【請求項３】
前記スライド蓋には引っ張り部が設けられていることを特徴とする請求項１または請求項２のいずれかに記載の信号筒点火装置。
【請求項４】
前記保持部の側面側の周壁には、上方へ突出する周壁上端が延設されていることを特徴とする請求項１ないし請求項３のいずれか１項に記載の信号筒点火装置。
【請求項５】
前記天板には、前記周壁上端を挿入可能なスリットが形成されていることを特徴とする請求項４に記載の信号筒点火装置。
【請求項６】
前記信号筒が、紙筒内に発炎筒用料薬が充填され、円筒頂部に発火薬が備えられている発炎筒であることを特徴とする請求項１ないし請求項５のいずれか１項に記載の信号筒点火装置。
【発明の詳細な説明】
【技術分野】
【０００１】
本発明は、発炎又は発煙剤を充填した信号筒の点火装置に関し、更に詳細には、一回の動作で確実な点火が可能な一挙動式の点火装置に関する。
【背景技術】
【０００２】
従来、発炎又は発煙剤を充填した信号筒の点火装置として、一挙動式のものと二挙動式のものが知られている。これらのうち、二挙動式のものは、摺付薬等が設けられた蓋体を信号筒本体から取り外し、さらに、かかる摺付薬等を信号筒本体の発火薬に擦って着火させるという二つの動作が必要であった。それに対し、一挙動式のものは、着火動作をより簡略化し、蓋体を信号筒本体から取り外すと同時に、蓋体内部に設けた摺付薬と信号筒本体の発火薬が摩擦して着火するという一動作で着火が行えるというものであり、非常時・緊急時には、より簡易に着火が行える一挙動式の方が有利であった。【０００３】
例えば、かかる一挙動式の点火装置として、特許文献１には、キャップを取り除いたときに該キャップに一端が固定されたフレキシブル部材の擦り薬が信号筒の発火薬に接することによって着火させることができる一挙動点火機構が開示されている。【０００４】
しかしながら、このものは、キャップを外してから点火するまでの動作距離が長いため、点火の確実性が十分ではないものと想定される。そして、特許文献１の方法によれば、引き手を発炎方向に引くおそれがあるため、作業者の危険性が高くなることが予想される。さらに、その構成が複雑になる分、部品点数が多くなり、製造コストが嵩むとともに、不良・不具合が発生する確率が高くなるものと思われる。【０００５】
【特許文献１】特開２００６−９７９２９
【発明の開示】
【発明が解決しようとする課題】
【０００６】
そこで本発明は、従来の一挙動式の点火装置のかかる欠点を克服し、簡便な動作で安全且つ確実に点火し、より少ない部品数で構成された信号筒点火装置の提供をその課題とするものである。
【課題を解決するための手段】
【０００７】
本発明は、上記課題を解決するものであり、信号筒を挿入可能な中空部を備えた保持部と、前記中空部の上部開口を被覆する天板および保持部周壁の三方の側面を被覆する側壁とを備えたスライド蓋からなり、前記保持部周壁の左右側面にはガイド溝が、また、前記スライド蓋の左右側壁には該ガイド溝に嵌合し該ガイド溝に沿って移動可能な凸条部がそれぞれ設けられ、前記スライド蓋は側壁が設けられていない開放部から前記保持部を横方向に取り外し可能に形成され、前記スライド蓋の引き抜き動作時に前記天板の裏側に具備された摺付薬紙が信号筒の発火薬に摺動するよう形成されていることを特徴とする信号筒点火装置である。
【発明の効果】
【０００８】
本発明にかかる信号筒点火装置は、スライド蓋を保持部から横方向に引き抜くことにより、天板の裏側に設けられた点火手段が信号筒の発火薬に摺動して確実に点火することができる。さらに本発明の信号筒点火装置を構成する部品が保持部とスライド蓋のみであるため、製造コストを抑えることができる。【０００９】
また、本発明の信号筒点火装置で、保持部周壁のガイド溝とスライド蓋の凸条部が傾斜して形成されているものは、スライド蓋がガイド溝の傾斜に沿って移動するため、引き抜き動作が進むにつれ、摺付薬はより発火薬に押し付けられて摺動し、点火の確実性が向上する。【００１０】
さらに、本発明の信号筒点火装置で、天板が可撓性を有しているものは、発火薬の高さのバラツキに対しても、安定して点火させることができる。
【図面の簡単な説明】
【００１１】
【図１】本発明の信号筒点火装置の正面図
【図２】本発明の信号筒点火装置の側面図
【図３】本発明の信号筒点火装置の背面図
【図４】本発明の信号筒点火装置の天面図
【図５】本発明の信号筒点火装置の底面図
【図６】本発明の信号筒点火装置の開状態における斜視図
【図７】（ａ）、（ｂ）、（ｃ）本発明の信号筒点火装置の一連の開動作をあらわす一部切り欠き断面図
【発明を実施するための形態】
【００１２】
以下、本発明の信号筒点火装置の実施態様を、図面に基づいて具体的に説明する。なお、本発明はこれら実施態様に何ら制約されるものではない。
【００１３】
図１は本発明の信号筒点火装置の正面図、図２は同側面図、図３は同背面図、図４は同天面図、図５は同底面図である。図中、１は信号筒点火装置、２は保持部、３はスライド蓋、２１は周壁、２２は切り欠き、２３は平坦部、２４はガイド溝、３１は天板、３２は側壁、３３は引き抜き部、３４は接続部、３５は凸条部、３６は摺付薬紙、２１１は周壁上端、２４１は係止凹部、３１１はスリット、３５１は係止突起をそれぞれ示す。
【００１４】
図１ないし図５に示すように、本発明の信号筒点火装置１は、基本的な態様として信号筒に装着可能な中空柱状の保持部２と、かかる保持部２に着脱可能なスライド蓋３により構成されている。スライド蓋３は、一方が開放して底面視で略コの字形状に形成された側壁を有し、かかる側壁の開放部側から保持部２を横方向にスライドして着脱することができるよう形成されている。以下、各部材について詳述する。
【００１５】
本実施態様では、保持部２は角部を落とした略四角柱形状に形成され、その周壁２１は、正面、背面、および左右側面と、それらの４つの周壁面の間の４つの角面から構成されている。また、内部には信号筒を挿入できる上下が開口した中空部２５を有し、その内径は信号筒本体を圧入可能な寸法に形成されている。かかる構成により、下部開口から中空部２５に信号筒の頭部を圧入嵌着することで信号筒本体を保持することができるとともに、上部開口からは信号筒の頭頂部を露出させることができる。
【００１６】
スライド蓋３は、保持部２に装着した状態で中空部２５の上部開口を被覆する天板３１と、周壁２１の三方の側面を被覆する側壁３２により構成される。本実施態様では、側壁３２は保持部２の周壁２１の正面から左右側面にかけて被覆するように形成され、周壁２１の背面側には側壁を設けずに開放している。かかる開放部３７から保持部２の着脱が可能になっている。
【００１７】
スライド蓋３の天板３１には、左右の側壁３２に沿ってスリット３１１が形成されており、保持部２への装着時には、かかるスリット３１１内に保持部２の側面側の周壁上端２１１が挿入される。また、正面側の側壁３２の下部からは、引き抜き部３３が垂設されている。引き抜き部３３は、側壁３２に対して接続部３４で折り曲げ可能に連接され、指を挿入可能な穴部３３１を有するリング状に形成されている。なお、かかる引き抜き部３３は、本実施態様のように側壁３２の下部に垂設されるものに限定されるものではなく、例えば、正面側の側壁３２から前方に突出形成された持ち手状（コーヒーカップなどの持ち手と同様）に形成しても良い。
【００１８】
また、天板３１の裏側には点火手段として摺付薬を塗布した摺付薬紙３６が貼付されている（図示せず）。かかる摺付薬紙３６は、スライド蓋３の取り外し時に信号筒４の頭頂部の発火薬４１と摺動し、点火させることができる。よって、摺付薬紙３６の貼付位置は、スライド蓋３の引き抜き動作中に確実に発火薬４１と摺動する場所であればよいが、未使用時に誤って発火薬と接することがないよう、閉状態では発火薬４１よりも後方にセットバックして設けることが好ましい。なお、摺付薬紙３６と信号筒４の発火薬４１との摺動をより確実にし、発火薬の高さのバラツキなどに対しても対応できるよう、天板３１は可撓性を有する材料で形成することが好ましい。なお、本実施態様では、天板３１の裏側に摺付薬を塗布した摺付薬紙３６が貼付されているが、摺付薬をスライド蓋３に具備する方法はこれに限らず、例えば、天板３１の裏側に摺付薬を直接塗布してもよい。
【００１９】
図６は、本発明の信号筒点火装置１の分解斜視図である。図に示すように、保持部２の周壁２１の左右側面には、ガイド溝２４が凹設されている。かかるガイド溝２４はスライド蓋３の引き抜き方向に向けて斜め下方に傾斜して形成されており、背面側の端部には、他のガイド溝２４部分よりも一段深く窪んだ係止凹部２４１が形成されている。なお、ガイド溝２４の傾斜角度に関しては、スライド蓋３の取り外し時に摺付薬紙３６が発火薬４１と確実に摺動すれば特に制限はないが、スライド蓋３の天板３１に必要以上の負荷（上方向への押し上げ）をかけない範囲に設定することが好ましく、具体的には、水平から１０〜２０°の範囲の傾斜角度が好ましく、特に水平から１５°の傾斜角度が最も好ましい。
【００２０】
保持部２の周壁２１は、正面側が他の周壁部分よりも高さが低く形成されており、その上端から中空部２５の周縁にかけて、平坦部２３が形成されている。そして、側面側の周壁２１には、かかる平坦部２３より更に上方へ突出する周壁上端２１１が板状に延設されている。そして、背面側の周壁２１には、周壁上端２１１よりもおよそスライド蓋３の天板３１の厚み分だけ凹状に切り欠いて低く形成された切り欠き部２２が形成されている。また、平坦部２３には摺付薬紙３６と発火薬４１の摺動を妨げない位置に信号筒４の圧入を制御するじゃま板等を設け、かかるじゃま板等に信号筒４の頭頂部を当接させることにより、頭頂部の高さを一定にすることができる。
【００２１】
図６に示すように、スライド蓋３の左右の側壁３２の内側には、その下端に、保持部２のガイド溝２４に嵌合し、ガイド溝２４に沿って移動可能な凸条部３５が突設されている。凸条部３５はスライド蓋３の引き抜き方向に向けて斜め下方に傾斜して形成されており、背面側の端部には、他の凸条部３５部分よりも高く突出する係止突起３５１が形成されている。かかる係止突起３５１をガイド溝２４の係止凹部２４１に係止することで、未使用時にスライド蓋３を保持部２に対して固定して装着することができる。なお、係止突起３５１と係止凹部２４１の互いに係合しあう面はともに引き抜き方向へ傾斜して形成されており、係止突起３５１に所定の引っ張り力を加えることにより、係止突起３５１はかかる傾斜面を利用してガイド溝２４の中に移動し、これにより両者の係合状態は解除される。
【００２２】
以下、図７（ａ）ないし（ｄ）により、スライド蓋３の一連の引き抜き動作について説明する。図７（ａ）は、本発明の信号筒点火装置１が信号筒４の頭部に装着された状態で、スライド蓋３は閉状態となっている。図に示すように、信号筒４の頭頂部には、発火薬４１が突出するように形成されており、閉状態では、天板３１により被覆された状態となっている。この状態では、スライド蓋３の摺付薬紙３６は発火薬４１と接していないため、未使用時（保管時）の不用意な点火を防ぐことができる。また、凸条部３５の係止突起３５１は、ガイド溝２４の係止凹部２４１に係止しており、スライド蓋３は保持部２にロックして固定された状態となっており、スライド蓋３の誤作動を防ぐことができる。
【００２３】
図７（ａ）の状態で、使用者は信号筒３の本体部分を片手で保持しつつ、もう一方の手で引き抜き部３３を接続部３４で折り曲げ、引き抜き方向に引き起こす。そして、そのまま引き抜き部３３を斜め下方に引っ張る。このとき、引き抜き部３３を引く方向としてはガイド溝２４の傾斜の延長方向であることが好ましい。
【００２４】
係止突起３５１と係止凹部２４１の係止状態により、多少の引っ張り力ではスライド蓋３の引き抜き動作は開始しないが、ある一定の引っ張り力を超えたところで、両者の係合が解除され、引き抜き動作が開始する。引き抜き動作が開始すると、凸条部３５がガイド溝２４内を移動し、スライド蓋３はガイド溝２４の傾斜に沿って引き抜かれるため、引き抜き動作が進むにつれて斜め下方へと移動する。そして、図７（ｂ）のように、引き抜き動作が一定の程度まで進むと、摺付薬紙３６と発火薬４１と摺動が開始する。その後、スライド蓋３はガイド溝２４の傾斜に沿って移動するため、引き抜き動作が進むにつれ、摺付薬紙３６はより発火薬４１に押し付けられて摺動し、点火の確実性が向上する。なお、係止突起３５１と係止凹部２４１の係止力は任意に設定することができるが、ある一定の係止力を超えたところでその係止がはずれるようにすることで、スライド蓋３はある一定の引っ張り力を加えないと動かない構造となるため、結果的に、未使用時の安全性が向上するとともに、引き抜き動作の方向、力量、速度などのバラツキを抑えることができる。
【００２５】
図７（ｂ）から引き抜き動作を続けると、スライド蓋３はガイド溝２４の傾斜に沿って更に斜め下方へと移動し、摺付薬紙３６が発火薬４１に摺動する。このとき、天板３１が可撓性を有していると、その可撓性とスリット３１１が相俟って上に撓むことができ、引き抜き動作時に、図７（ｃ）のように天板３１が発火薬４１に押し付けられてより確実に摺動し、発火薬４１の高さのバラツキを吸収し、安定して点火させることができる。
【００２６】
図７（ｃ）から更に引き抜き動作を続けると、図７（ｄ）のようにスライド蓋３の凸条部３５がガイド溝２４の正面側の端部から完全に引き抜かれ、保持部２からの引き抜き作業が完了する。
【００２７】
本発明の信号筒点火装置１を構成する保持部２およびスライド蓋３は、それぞれ、真空注型により一体的に形成されている。このように、一体成型することにより、部品数を低減することができ、製造コストを抑えることができる。また、それぞれの部材の好ましい材料としては、ポリエチレン、ポリプロピレン、塩化ビニル樹脂、ポリスチレン、ＡＢＳ樹脂、メタクリル樹脂、ポリエチレンテフレタート、ポリアミド、ポリカーボネート、ポリアセタール、ポリブチレンテレフタレート、変性ポリフェニレンエーテル等が挙げられ、より好ましくは、ポリエチレン、ポリプロピレンの可撓性を有する汎用樹脂である。
【００２８】
本発明の信号筒点火装置１は、自動車用等に用いられる一般的に発炎筒について使用可能であるが、好ましくは、紙筒内に料薬（粒状発炎剤、固体状発炎剤）が充填され、円筒頂部に発火薬が備えられている発炎筒を挙げることができる。
【符号の説明】
【００２９】
１  …  …  信号筒点火装置
２  …  …  保持部
３  …  …  スライド蓋
４  …  …  信号筒
２１  …  …  周壁
２２  …  …  切り欠き部
２３  …  …  平坦部
２４  …  …  ガイド溝
２５  …  …  中空部
３１  …  …  天板
３２  …  …  側壁
３３  …  …  引き抜き部
３４  …  …  接続部
３５  …  …  凸条部
３６  …  …  摺付薬紙
４１  …  …  発火薬
２１１  …  …  周壁上端
２４１  …  …  係止凹部
３１１  …  …  スリット
３３１  …  …  穴部
３５１  …  …  係止突起
【図１】
2014016958.tif 000003
【図２】
2014016958.tif 000004
【図３】
2014016958.tif 000005
【図４】
2014016958.tif 000006
【図５】
2014016958.tif 000007
【図６】
2014016958.tif 000008
【図７】
2014016958.tif 000009
【国際調査報告】
2014016958.tif 000010
2014016958.tif 000011
2014016958.tif 000012
2014016958.tif 000013